(57)【要約】【課題】圧着過程における圧着端子の伸びを軽減する技術を提供する。【解決手段】圧着端子付電線１は、電線２及び該電線２の端末部に接続された圧着端子４を備える。圧着端子４は、電線２が配置される板状の基部４１と、基部４１の先端部に設けられた相手部材接続部４３と、電線２の芯線部２１に圧着されている一対の芯線圧着片４５，４５と、電線２の絶縁被覆部２３に圧着されている一対の被覆圧着片４７，４７とを備える。芯線圧着片４５は、その先端部４５Ｅよりも基部４１に近い位置において、Ｘ軸方向の両側部が内側に凹むことによって、Ｘ軸方向に沿う幅が小さくなる括れ部分４５１を有する。【選択図】図２
2017059389.tif 000002
【特許請求の範囲】
【請求項１】
電線及び該電線の端末部に接続された圧着端子を備える圧着端子付電線であって、
前記圧着端子は、
前記電線が配置される配線空間に面する配線部を有する板状の基部と、
前記基部の先端部に設けられており、相手部材に導通可能に接続される相手部材接続部と、
前記基部の前記相手部材接続部よりも基端側に設けられた、前記基部の幅方向の側部から張り出す部分であって、前記基部の内側に向けて曲げられた状態で、前記基部に配置された前記電線の芯線部に圧着されている芯線圧着片と、
を備え、
前記芯線圧着片は、先端部よりも前記基部に近い位置において、前記芯線圧着片における前記基部の長さ方向の両側部のうち少なくとも一方が内側に凹むことによって、前記長さ方向に沿う幅が小さくなる括れ部分を有する、圧着端子付電線。
【請求項２】
請求項１に記載の圧着端子付電線であって、
前記圧着端子は、
前記基部の前記芯線圧着片よりも前記基端側において、前記基部の幅方向の側部から張り出す部分であって、前記基部の内側に向けて曲げられた状態で、前記基部に配置された前記電線の絶縁被覆部に圧着されている被覆圧着片、
をさらに備える、圧着端子付電線。
【請求項３】
請求項１または請求項２に記載の圧着端子付電線であって、
前記括れ部分は、前記芯線圧着片の前記長さ方向の両側部が内側に凹む部分である、圧着端子付電線。
【請求項４】
請求項１から請求項３のいずれか１項に記載の圧着端子付電線であって、
前記括れ部分が、前記芯線圧着片の前記基部との境界部分に設けられている、圧着端子付電線。
【請求項５】
電線の端末部に圧着端子が取付けられた複数の圧着端子付電線を有するワイヤハーネスであって、
前記圧着端子付電線の前記圧着端子は、
前記電線が配置される配線空間に面する配線部を有する板状の基部と、
前記基部の先端部に設けられており、相手部材に導通可能に接続される相手部材接続部と、
前記基部の前記相手部材接続部よりも基端側に設けられた、前記基部の幅方向の側部から張り出す部分であって、前記基部の内側に向けて曲げられた状態で、前記基部に配置された前記電線の芯線部に圧着されている芯線圧着片と、
を備え、
前記芯線圧着片は、先端部よりも前記基部に近い位置において、前記芯線圧着片における前記基部の長さ方向の両側部のうち少なくとも一方が内側に凹むことによって、前記長さ方向に沿う幅が小さくなる括れ部分を有する、ワイヤハーネス。
【請求項６】
電線の端末部に取付けられる導電性材料で形成された圧着端子であって、
前記電線が配置される配線空間に面する配線部を有する板状の基部と、
前記基部の先端部に設けられており、相手部材に導通可能に接続される相手部材接続部と、
前記基部の前記相手部材接続部よりも基端側に設けられた、前記基部の幅方向の側部から張り出す部分であって、前記基部の内側に向けて曲げられた状態で、前記基部に配置された前記電線の芯線部に圧着される芯線圧着片と、
を備え、
前記芯線圧着片は、その先端部よりも前記基部に近い位置において、前記芯線圧着片における前記基部の長さ方向の両側部の少なくとも一方が内側に凹むことによって、前記長さ方向に沿う幅が小さくなる括れ部分を有する、圧着端子。
【発明の詳細な説明】
【技術分野】
【０００１】
この発明は、電線の端末部に接続される圧着端子に関する。
【背景技術】
【０００２】
特許文献１には、電線に接続される圧着端子が開示されている。この圧着端子は、電線における、複数の素線で構成された芯線に圧着する芯線圧着部を備えている。また、芯線圧着部の芯線の軸方向の中間位置には、当該軸方向に対して垂直に切り欠かれた切欠部が設けられている。
【０００３】
この圧着端子によると、切欠部を芯線圧着部に設けることによって、芯線圧着部を加締め圧着した際に、切欠部の両エッジが芯線に食い込む。これによって、芯線の伸びが抑制される箇所が生じ、芯線に圧縮力が効率良く作用する箇所が生じる。すなわち、各素線の伸びによる新生面の発生と、各素線に効率良く圧縮力が作用することによって凝着が発生し、素線間の導通特性が向上する。このことによって、電気接続箇所の電気抵抗を低減させている。
【先行技術文献】
【特許文献】
【０００４】
【特許文献１】特開２０１５−７６２３７号公報
【発明の概要】
【発明が解決しようとする課題】
【０００５】
しかしながら、特許文献１に記載の圧着端子を含む従来の圧着端子の場合、芯線圧着部を加締め圧着した際に、当該芯線圧着部が芯線の軸方向に伸びる。すると、この芯線圧着部の軸方向への伸びに引きつられて、端子全体が軸方向へ伸びてしまう。圧着端子に伸びが生じると、当該圧着端子付の電線を組付ける際に、レイアウト変更等が必要となる場合があった。例えば、圧着端子の先端部が、コネクタのハウジング内に挿入されるように構成されている場合、圧着端子の伸びによって、当該ハウジングから圧着端子が規定以上にはみ出す場合があった。このため、コネクタの設計変更等が必要となるおそれがあった。
【０００６】
そこで、本発明は、圧着過程における圧着端子の伸びを軽減する技術を提供することを目的とする。
【課題を解決するための手段】
【０００７】
上記の課題を解決するため、第１の態様は、電線及び該電線の端末部に接続された圧着端子を備える圧着端子付電線であって、前記圧着端子は、前記電線が配置される配線空間に面する板状の基部と、前記基部の先端部に設けられており、相手部材に導通可能に接続される相手部材接続部と、前記基部の前記相手部材接続部よりも基端側に設けられた、前記基部の幅方向の側部から張り出す部分であって、前記基部の内側に向けて曲げられた状態で、前記基部に配置された前記電線の芯線部に圧着されている芯線圧着片とを備え、前記芯線圧着片は、先端部よりも前記基部に近い位置において、前記芯線圧着片における前記基部の長さ方向の両側部のうち少なくとも一方が内側に凹むことによって、前記長さ方向に沿う幅が小さくなる括れ部分を有する。
【０００８】
また、第２の態様は、第１の態様に係る圧着端子付電線であって、前記圧着端子は、前記基部の前記芯線圧着片よりも前記基端側において、前記基部の幅方向の側部から張り出す部分であって、前記基部の内側に向けて曲げられた状態で、前記基部に配置された前記電線の絶縁被覆部に圧着されている被覆圧着片、をさらに備える。
【０００９】
また、第３の態様は、第１または第２の態様に係る圧着端子付電線であって、前記括れ部分は、前記芯線圧着片の前記長さ方向の両側部が内側に凹む部分である。
【００１０】
また、第４の態様は、第１から第３の態様のいずれか１つに係る圧着端子付電線であって、前記括れ部分が、前記芯線圧着片の前記基部との境界部分に設けられている。
【００１１】
また、第５の態様は、電線の端末部に圧着端子が取付けられた複数の圧着端子付電線を有するワイヤハーネスであって、前記圧着端子付電線の前記圧着端子は、前記電線が配置される配線空間に面する板状の基部と、前記基部の先端部に設けられており、相手部材に導通可能に接続される相手部材接続部と、前記基部の前記相手部材接続部よりも基端側に設けられた、前記基部の幅方向の側部から張り出す部分であって、前記基部の内側に向けて曲げられた状態で、前記基部に配置された前記電線の芯線部に圧着されている芯線圧着片とを備え、前記芯線圧着片は、先端部よりも前記基部に近い位置において、前記芯線圧着片における前記基部の長さ方向の両側部のうち少なくとも一方が内側に凹むことによって、前記長さ方向に沿う幅が小さくなる括れ部分を有する。
【００１２】
また、第６の態様は、電線の端末部に取付けられる導電性材料で形成された圧着端子であって、前記電線が配置される配線空間に面する板状の基部と、前記基部の先端部に設けられており、相手部材に導通可能に接続される相手部材接続部と、前記基部の前記相手部材接続部よりも基端側に設けられた、前記基部の幅方向の側部から張り出す部分であって、前記基部の内側に向けて曲げられた状態で、前記基部に配置された前記電線の芯線部に圧着される芯線圧着片とを備え、前記芯線圧着片は、その先端部よりも前記基部に近い位置において、前記芯線圧着片における前記基部の長さ方向の両側部の少なくとも一方が内側に凹むことによって、前記長さ方向に沿う幅が小さくなる括れ部分を有する。
【発明の効果】
【００１３】
第１の態様に係る圧着端子付電線によると、圧着端子の芯線圧着片に括れ部分を設けることによって、芯線圧着片を芯線部に圧着した際に、芯線圧着片の括れ部分より先端側の部分の長さ方向への伸びに引きつられて、括れ部分及び括れ部分より基端側の部分が伸びることを軽減できる。また、括れ部分は、幅が小さいため、伸び量も比較的小さくなる。これらの作用によって、圧着端子の基部の長さ方向への伸びを軽減できるため、圧着端子自体の伸びを軽減できる。
【００１４】
また、第２の態様に係る圧着端子付電線によると、被覆圧着片を電線の絶縁被覆部に圧着させることで、括れ部分を設けたことによる電線に対する芯線圧着片の固定力低下を、被覆圧着片で補うことができる。
【００１５】
また、第３の態様に係る圧着端子付電線によると、基部が長さ方向の両方向に伸びることを軽減できる。
【００１６】
また、第４の態様に係る圧着端子付電線によると、括れ部分の設ける位置を芯線圧着片の基部との境界部分にすることで、芯線圧着片の先端部の伸びに引きつられて基部が伸びることを効果的に抑制できる。
【００１７】
また、第５の態様に係るワイヤハーネスによると、圧着端子の芯線圧着片に括れ部分を設けることによって、芯線圧着片を芯線部に圧着した際に、芯線圧着片の括れ部分より先端側の部分の長さ方向への伸びに引きつられて、括れ部分及び括れ部分より基端側の部分が伸びることを軽減できる。また、括れ部分は、幅が小さいため、伸び量も比較的小さくなる。これらの作用によって、圧着端子の基部の長さ方向への伸びを軽減できるため、圧着端子自体の伸びを軽減できる。
【００１８】
また、第６の態様に係る圧着端子によると、圧着端子の芯線圧着片に括れ部分を設けることによって、芯線圧着片を芯線部に圧着した際に、芯線圧着片の括れ部分より先端側の部分の長さ方向への伸びに引きつられて、括れ部分及び括れ部分より基端側の部分が伸びることを軽減できる。また、括れ部分は、幅が小さいため、伸び量も比較的小さくなる。これらの作用によって、圧着端子の基部の長さ方向への伸びを軽減できるため、圧着端子自体の伸びを軽減できる。
【図面の簡単な説明】
【００１９】
【図１】第１実施形態に係る圧着端子付電線を示す概略平面図である。
【図２】第１実施形態に係る圧着端子付電線を示す概略側面図である。
【図３】電線に圧着される前の第１実施形態に係る圧着端子を示す概略平面図である。
【図４】電線に圧着される前の第２実施形態に係る圧着端子を示す概略平面図である。
【発明を実施するための形態】
【００２０】
以下、添付の図面を参照しながら、本発明の実施形態について説明する。なお、この実施形態に記載されている構成要素はあくまでも例示であり、本発明の範囲をそれらのみに限定する趣旨のものではない。また、図面においては、理解容易のため、必要に応じて各部の寸法や数が誇張または簡略化して図示されている場合がある。
【００２１】
＜１．  第１実施形態＞
図１は、第１実施形態に係る圧着端子付電線１を示す概略平面図である。図２は、第１実施形態に係る圧着端子付電線１を示す概略側面図である。図３は、電線２に圧着される前の第１実施形態に係る圧着端子４を示す概略平面図である。
【００２２】
圧着端子付電線１は、電線２及び該電線２の端末部に接続された圧着端子４を備える。
【００２３】
電線２は、導電性金属（銅、銅合金、アルミニウム、アルミニウム合金等）で形成された複数の素線で構成されている芯線部２１と、当該芯線部２１の外周を被覆する非導電性素材（樹脂等）で形成された絶縁被覆部２３とを備える。電線２の端末部においては、絶縁被覆部２３がはぎ取られることで、芯線部２１が露出している。
【００２４】
圧着端子４は、例えば、銅又はスズなどの金属を主成分とする導電性材料で形成された部材である。基部４１と、相手部材接続部４３と、一対の芯線圧着片４５，４５と、一対の被覆圧着片４７，４７とを備える。図３に示すように、電線２に圧着される前の圧着端子４は、その基端部が連鎖帯６の片側部分に連結されている。そして、複数の圧着端子４が、連鎖帯６の片側に等間隔で並列状に配列されている。また、基部４１に電線２を配置できるように、一対の芯線圧着片４５，４５及び一対の被覆圧着片４７，４７が、基部４１の電線２が配置される面側に開放するようにして形成されている。各圧着端子４は、電線２に圧着される前、圧着されている最中、あるいは、圧着された後の適宜のタイミングで、連鎖帯６から切り離される。
【００２５】
以下の説明においては、基部４１の長さ方向をＸ軸方向とし、基部４１の幅方向（長さ方向に直交する方向）をＹ軸方向とする。また、基部４１に対して圧着された状態の一対の芯線圧着片４５，４５が起立する方向をＺ軸方向とする。
【００２６】
基部４１は、電線２の端末部が配置される配線空間に面する配線部を有する板状の部分である。
【００２７】
相手部材接続部４３は、基部４１の先端部に設けられており、相手部材に導通可能に接続される部分である。本例では、相手部材接続部４３は、長尺状の角筒状部分として形成されている。この筒状部分の先端側から内側に向けて相手部材（ここでは、雄端子）が挿入されることで、当該相手部材と圧着端子４とが導通可能に接続される。
【００２８】
図示を省略するが、複数の圧着端子付電線１を束ねることによって、ワイヤハーネスが構成される。このとき、いくつかの圧着端子付電線１の各端末部分に取付けられている圧着端子４の相手部材接続部４３が、１つのコネクタのハウジング内に収容されることで、１つのコネクタ端末部が形成される。
【００２９】
なお、本発明に係る圧着端子の相手部材接続部の接続相手は、端子に限定されるものではない。例えば、自動車等の車両のボディの一部であるアースポイントに導通接続されるように相手部材接続部を構成することで、圧着端子をアース端子として機能させてもよい。この場合、相手部材接続部には、例えば、アースポイントに固定するためのボルトが挿通される貫通孔が形成される。
【００３０】
一対の芯線圧着片４５，４５は、基部４１の相手部材接続部４３より基端側（−Ｘ側）に設けられている。一対の芯線圧着片４５，４５は、基部４１の長さ方向（Ｘ軸方向）の中間部であって、当該長さ方向に直交する幅方向（Ｙ軸方向）の両側部分から張り出す部分である。すなわち、圧着過程前においては、図３に示すように、Ｙ軸方向（基部４１の幅方向）に張り出しており、圧着過程後においては、図１に示すように基部４１からＺ軸方向に張り出している。一対の芯線圧着片４５，４５は、圧着過程で内側に曲げられ、基部４１に配された電線２の芯線部２１に圧着される。なお、基部４１の両側部に一対の芯線圧着片４５，４５を設けることは必須ではない。例えば、基部４１の一方の側部に１つの芯線圧着片４５のみが設けられてもよい。また、基部４１における一方側部または両側部に、長さ方向に所定の間隔を隔てて複数の芯線圧着片が形成されていてもよい。
【００３１】
一対の芯線圧着片４５，４５は、それぞれ、括れ部分４５１を有している。括れ部分４５１は、図２に示すように、Ｘ線方向（基部４１の長さ方向）の両側部に切欠き４５３が形成された部分である。このように、括れ部分４５１は、芯線圧着片４５の両側部が内側へ凹むように括れることで、Ｘ線方向に沿う幅が小さくなる部分である。なお、切欠き４５３が芯線圧着片４５の両側部に形成されていることは必須ではない。例えば、どちらか一方側部のみに形成されていてもよい。また、芯線圧着片の一方側部または両側部に、内側に凹む切欠きが複数形成されてもよい。
【００３２】
一対の被覆圧着片４７，４７は、基部４１における一対の芯線圧着片４５，４５よりも基端側に設けられている。一対の被覆圧着片４７，４７は、基部４１の幅方向（Ｙ軸方向）に配置された電線２の絶縁被覆部２３に圧着される。一対の被覆圧着片４７，４７は、それぞれ、Ｙ軸方向における基部４１の両側部分から張り出した部分である。一対の被覆圧着片４７，４７は、圧着過程で内側に曲げられ、電線２の絶縁被覆部２３に圧着される。なお、一対の被覆圧着片４７は、圧着端子４においては、必須の構成ではなく、省略することも可能である。
【００３３】
圧着端子４の芯線圧着片４５を電線２の芯線部２１に圧着した際には、芯線圧着片４５の括れ部分４５１より先端側の部分が、Ｘ軸方向（基部４１の長さ方向）へ伸びる。すると、この芯線圧着片４５の先端側部分のＸ線軸方向の伸びに引きつられて、芯線圧着片４５の基端側の部分（基部４１との連結部分）もＸ線軸方向に伸びる。しかしながら、本実施形態では、括れ部分４５１が形成されているため、芯線圧着片４５の先端側の部分と、基端側の部分とが分離されている。また、括れ部分４５１は、幅が狭いため、伸び量は比較的小さい。これらの作用によって、芯線圧着片４５の基端側の部分の伸びが軽減されるため、基部４１の長さ方向への伸びを軽減できる。したがって、圧着端子４自体の伸びを抑制できる。特に、本実施形態では、芯線圧着片４５の括れ部分４５１は、その両側部が内側に凹んでいるため、Ｘ軸方向の両方向（＋Ｘ方向及び−Ｘ方向）への基部４１の伸びを軽減できる。これによって、Ｘ軸方向の両方向に圧着端子４が伸びることを抑制できる。
【００３４】
また、本実施形態では、基部４１と芯線圧着片４５との境界部分に、括れ部分４５１が設けられている。このため、芯線圧着片４５の先端部４５Ｅの伸びに引きつられて基部４１が伸びることを効果的に抑制できる。ただし、括れ部分４５１が境界部分に設けられていることは必須ではない。つまり、芯線圧着片４５の先端部４５Ｅよりも基部４１に近い位置に設けられておればよい。
【００３５】
さらにまた、圧着端子４は、被覆圧着片４７を電線の被覆に圧着させることで、括れ部分４５１を設けたことによる電線２に対する芯線圧着片４５の固定力低下を、被覆圧着片４７で補うことができる。
【００３６】
＜２．  第２実施形態＞
次に、第２実施形態について説明する。なお、以降の説明において、既に説明した要素と同様の機能を有する要素については、同じ符号またはアルファベットを追加した符号を付して、詳細な説明を省略する場合がある。
【００３７】
図４は、電線２に圧着される前の第２実施形態に係る圧着端子４ａを示す概略平面図である。図４では、電線２に圧着される前の圧着端子４ａを図示している。本実施形態に係る圧着端子４ａは、その基部４１の中間部に芯線圧着片４５ａを備えている。芯線圧着片４５ａは、第１実施形態に係る芯線圧着片４５と同様に、Ｘ軸方向の両側部が内側に凹む括れ部分４５１ａを備えている。より詳細には、芯線圧着片４５ａは、その先端部４５Ｅａから基部４１に近づくに連れて、Ｘ軸方向の幅が次第に狭くなっており、基部４１との境界部分付近で最も狭くなっている。
【００３８】
本実施形態に係る圧着端子４ａにおいても、芯線圧着片４５ａの両側部が内側に括れることで、芯線圧着片４５ａの先端部４５Ｅａの伸びに引きつられて、基部４１が伸びることを軽減できる。よって、圧着過程において、圧着端子４が伸びることを抑制できる。
【００３９】
この発明は詳細に説明されたが、上記の説明は、すべての局面において、例示であって、この発明がそれに限定されるものではない。例示されていない無数の変形例が、この発明の範囲から外れることなく想定され得るものと解される。また、上記各実施形態及び各変形例で説明した各構成は、相互に矛盾しない限り適宜組み合わせたり、省略したりすることができる。
【符号の説明】
【００４０】
１  ：圧着端子付電線
２  ：電線
２１  ：芯線部
２３  ：絶縁被覆部
４，４ａ  ：圧着端子
４１  ：基部
４３  ：相手部材接続部
４５，４５ａ  ：芯線圧着片
４５Ｅ，４５Ｅａ  ：先端部
４５１，４５１ａ  ：括れ部分
４７  ：被覆圧着片
【図１】
2017059389.tif 000003
【図２】
2017059389.tif 000004
【図３】
2017059389.tif 000005
【図４】
2017059389.tif 000006